(57)【要約】【課題】映像の動きに対応してフレーム補償映像とライン補償映像とを切り換え、鮮明な映像が得られるように映像データの補償を行うデータ補償システムを得る。【解決手段】  映像データ１０１の欠落を検知すると動き検知部１５を用いて映像データ１０１の動き量を検知し、この検知結果に対応する切り換え信号１０４を出力する欠落検知部１４と、欠落検知部１４からの切り換え信号１０４に応じて接続切り換えを行ってライン補償部１３から出力される補償データ１０３、またはフレーム補償部１２から出力される補償データ１０２を、映像データ１０５としてモニタ１７へ出力する映像切り換え部１６とを備えた。【選択図】図１
2009232211.tif 000002
【特許請求の範囲】
【請求項１】
映像データのライン補償を行うライン補償部と該映像データのフレーム補償を行うフレーム補償部とを備え、前記ライン補償部またはフレーム補償部によって作成された補償データをモニタへ出力するデータ補償システムにおいて、
前記映像データの欠落を検知して検知結果に対応する切り換え信号を出力する欠落検知部と、
前記欠落検知部からの切り換え信号に応じて接続切り換えを行って前記ライン補償部または前記フレーム補償部から出力される補償データを前記モニタへ出力する映像切り換え部と、
を備えることを特徴とするデータ補償システム。
【請求項２】
欠落検知部は、欠落を検知した映像データの映像の動き量を検知する動き検知部を備え、前記動き検知部が検知した動き量を予め設定されている閾値と比較し、前記検知した動き量が閾値よりも大きいときにはライン補償部からの補償データを映像切り換え部から出力させる切り換え信号を作成し、前記検知した動き量が閾値よりも小さいときにはフレーム補償部からの補償データを前記映像切り換え部から出力させる切り換え信号を作成することを特徴とする請求項１記載のデータ補償システム。
【請求項３】
映像データの欠落を検知すると該映像データのフレーム補償を行った映像データを出力するフレーム補償映像出力部と、
映像データの欠落を検知すると該映像データのライン補償を行った映像データを出力するライン補償映像出力部と、
映像データの映像の動き量を検知して検知結果に対応する動き量信号を出力する動き量検知部と、
前記動き検知部からの動き量信号に応じて接続切り換えを行って前記フレーム補償映像出力部からの映像データまたは前記ライン補償映像出力部からの映像データをモニタへ出力する映像切り換え部と、
を備えるデータ補償システム。
【請求項４】
動き検知部は、検知した動き量と予め設定されている閾値とを比較し、前記検知した動き量が閾値よりも大きいときにはライン補償映像出力部からの映像データを映像切り換え部から出力させる動き量信号を作成し、前記検知した動き量が閾値よりも小さいときにはフレーム補償映像出力部からの映像データを映像切り換え部から出力させる動き量信号を作成することを特徴とする請求項３記載のデータ補償システム。
【発明の詳細な説明】
【技術分野】
【０００１】
この発明は、例えばＭｏｔｉｏｎ−Ｊｏｉｎｔ  Ｐｈｏｔｏｇｒａｐｈｉｃ  Ｅｘｐｅｒｔｓ  Ｇｒｏｕｐ（以下、Ｍ−ＪＰＥＧと記載する）の映像データ等の伝送に用いるデータ補償システムに関するものである。
【背景技術】
【０００２】
映像出力装置から出力された映像データを表示するとき、当該映像データをモニタ等へ直接伝送すると、映像データの伝送時に外部からノイズが混入して当該映像データに欠落が生じることがある。映像データを取り扱うシステムもしくは装置等では、このような欠落データを補償するためにライン補償やフレーム補償を行っている。
前述のような欠落データの補償を行うものとして、入力スイッチの投入により静止画ソフト再生モードとテープの走行を停止させてメモリの出力だけを用いるスチルモードが選択されたとき、通常はライン補間とされているドロップアウト補間をフレーム補間に切り換えるビデオ装置がある（例えば、特許文献１参照）。
【０００３】
【特許文献１】特開平５−１９９４９７号公報（第２，３頁、図１，２）
【発明の開示】
【発明が解決しようとする課題】
【０００４】
従来の映像データを取り扱うシステムは以上のように構成されているので、映像出力装置から出力された映像データを直接モニタへ入力するものでは、映像データを伝送する際にノイズなどが混入すると本来の映像データと異なるデータがそのままモニタへ入力され、モニタ上でノイズが発生して鮮明な映像を表示することができなくなるという課題があった。
また、入力スイッチの投入によって静止画ソフトを再生するときにドロップアウト補間をライン補間からフレーム補間に切り換えるものは、映像の動きに対応させて最適な補償処理に自動で切り換えることができず、鮮明な映像を得ることが難しいという課題があった。
【０００５】
この発明は上記のような課題を解決するためになされたもので、映像の動きに対応してフレーム補償映像とライン補償映像とを切り換え、鮮明な映像が得られるように映像データの補償を行うデータ補償システムを得ることを目的とする。
【課題を解決するための手段】
【０００６】
この発明に係るデータ補償システムは、映像データの欠落を検知して検知結果に対応する切り換え信号を出力する欠落検知部と、欠落検知部からの切り換え信号に応じて接続切り換えを行ってライン補償部またはフレーム補償部から出力される補償データをモニタへ出力する映像切り換え部とを備えたものである。
【発明の効果】
【０００７】
この発明によれば、欠落検知部が欠落を検知した映像データに対応した切り換え信号を映像切り換え部へ出力してライン補償部または前記フレーム補償部から出力される補償データをモニタへ出力するようにしたので、
映像データ中の被写体の動きに応じて最適な補償データに自動で切り換えることが可能となり、鮮明な出力映像を得ることができるという効果がある。
【発明を実施するための最良の形態】
【０００８】
以下、この発明の実施の一形態を説明する。
実施の形態１．
図１は、この発明の実施の形態１によるデータ補償システムの構成を示すブロック図である。図示したデータ補償システム１は、映像出力装置１１からの映像データ１０１を入力する、フレーム補償部１２、ライン補償部１３、欠落検知部１４、及び、映像切り換え部１６を備えたもので、欠落検出部１４には動き検出部１５が備えられ、映像切り換え部１６にはモニタ１７が接続されている。
映像出力装置１１は、モニタ１７が映像を表示することができる様式の映像データ１０１を出力するもので、前述のようにフレーム補償部１２、ライン補償部１３、欠落検知部１４、及び、映像切り換え部１６と接続されている。フレーム補償部１２は、映像データ１０１の欠落を含むフレームに対して、１フレーム前の映像データを用いてフレーム補間を行って補償データ１０２を作成する機能を備え、当該補償データ１０２を映像切り換え部１６へ出力するように接続されている。ライン補償部１３は、映像データ１０１の同一フレーム内において欠落部分の前後のデータを用いてライン補間を行って補償データ１０３を作成する機能を備え、補償データ１０３を映像切り換え部１６へ出力するように接続されている。
【０００９】
欠落検知部１４は、入力した映像データ１０１の動き量を算出して予め設定されている動き量に関する閾値よりも大きいか否かを判定する動き検知部１５を備えている。また、欠落検知部１４は、入力した映像データ１０１の欠落を検知し、動き検知部１５の判定結果に応じた切り換え信号１０４を作成する機能を備え、切り換え信号１０４を映像切り換え部１６へ出力するように接続されている。映像切り換え部１６は、入力した切り換え信号１０４に基づいて、映像出力装置１１からの映像データ１０１と、フレーム補償部１２からの補償データ１０２と、ライン補償部１３からの補償データ１０３とを切り換える機能を備え、切り換え出力として映像データ１０５をモニタ１７へ出力するように接続されている。モニタ１７は、入力した映像データ１０５を用いて映像を表示する表示装置である。
【００１０】
次に動作について説明する。
映像出力装置１１は、前述のようにモニタ１７が映像表示可能な映像データ１０１を出力する。出力された映像データ１０１に外部等からノイズが混入すると、当該ノイズが含まれている映像データ１０１を入力した欠落検知部１４は、このデータが映像出力装置１１から出力される通常のデータとは異なるもの、換言すると映像に欠落部分を有する映像データであることを検知する。この検知動作は、例えば映像出力装置１１からの映像データ１０１がＭ−ＪＰＥＧ等に則ったデータであるときには、Ｃｙｃｌｉｃ  Ｒｅｄｕｎｄａｎｃｙ  Ｃｈｅｃｋ（以下、ＣＲＣと記載する）によって行われる。欠落検知部１４が例えばＣＲＣによって欠落を検知したとき、欠落検知部１４の動き検知部１５は、当該欠落を検知した映像データ１０１が示す映像の動き量を算出し、予め設定されている動き量に関する閾値よりも大きいか否かを判定し、判定結果を示す切り換え信号１０４を作成して映像切り換え部１６へ出力する。
【００１１】
映像切り換え部１６は、前述の算出した動き量が閾値よりも大きいと判定した旨を示す切り換え信号１０４を入力したときには、当該切り換え信号１０４が示す判定結果に基づいてライン補償部１３からの補償データ１０３をモニタ１７へ出力するように切り換え処理を行う。また、前述の算出した動き量が閾値よりも小さいと判定した旨を示す切り換え信号１０４を入力したときには、この切り換え信号１０４に基づいてフレーム補償部１２からの補償データ１０２をモニタ１７へ出力するように切り換え処理を行う。
また、欠落検知部１４にて映像データ１０１の欠落が検知されなかったときには、当該欠落検知部１４は切り換えを示す切り換え信号１０４を出力しない。切り換えを示す切り換え信号１０４を入力していない映像切り換え部１６は、映像出力装置１１からの映像データ１０１をモニタ１７へ出力する。
データ補償システム１は、概ね上記のように動作する。
【００１２】
図２は、実施の形態１によるデータ補償システムの処理動作を示すフローチャートである。図２を用いてデータ補償システム１の詳細動作を説明する。
映像出力装置１１の映像データ出力開始を当該データ補償システム１の処理動作のスタートとし、欠落検知部１４が、映像出力装置１１から入力した映像データ１０１に欠落が生じているか否かを判定する（ステップＳＴ１０１）。ステップＳＴ１０１の過程において映像データ１０１に欠落が無いと判定したとき、欠落検知部１４は切り換えを指示する切り換え信号１０４を出力せず、このような切り換え信号１０４を入力していない映像切り換え部１６は映像出力装置１１から入力している映像データ１０１を図１に示した映像データ１０５としてモニタ１７へ出力する（ステップＳＴ１０２）。なお、上記のように有意を示す切り換え信号１０４を入力していない映像切り換え部１６は、映像出力装置１１から入力した映像データ１０１をそのままモニタ１７へ出力する状態を維持している。
ステップＳＴ１０２の過程を実行した後、シーケンスはステップＳＴ１０１の過程に戻り、前述の各過程の処理を繰り返す。
【００１３】
前述のステップＳＴ１０１の過程において、欠落検知部１４が映像データ１０１に欠落が生じていると判定したとき、欠落検知部１４の動き検知部１５は、欠落が生じていると判定した映像データ１０１の動き量を、例えば当該データが示す画素の変化量から算出する（ステップＳＴ１０３）。このように映像データ１０１の動き量を求めた後、ステップＳＴ１０４の過程に移行する。
欠落検知部１４は、予め設定されている動き量に関する閾値とステップＳＴ１０３の過程で動き検知部１５が求めた動き量とを比較する（ステップＳＴ１０４）。映像データ１０１から算出した動き量が上記の閾値よりも大きいと判定したときには、ステップＳＴ１０５の過程に移行し、上記の判定結果に基づく切り換え信号１０４、詳しくは、ライン補償部１３からの補償データ１０３を出力するように切り換える旨を表した切り換え信号１０４を作成し、この切り換え信号１０４を映像切り換え部１６へ出力して切り換え動作を制御する（ステップＳＴ１０５）。なお、ステップＳＴ１０４の過程で行われる、算出した動き量と閾値との比較処理、ステップＳＴ１０５ならびに後述するステップＳＴ１０６の過程で行われる、判定結果に基づく切り換え信号１０４の作成を、動き検知部１５が行うようにしてもよい。
このように切り換え信号１０４によって制御された映像切り換え部１６は、ライン補償部１３から入力している補償データ１０３を図１に示した映像データ１０５としてモニタ１７へ出力する。
【００１４】
前述のステップＳＴ１０４の過程において、欠落検知部１４は、動き検知部１５が映像データ１０１から算出した動き量が前述の閾値よりも小さいと判定したときには、当該判定結果に基づく切り換え信号１０４を作成する。即ち、フレーム補償部１２からの補償データ１０２を出力するように切り換える旨を表した切り換え信号１０４を作成し、この切り換え信号１０４を映像切り換え部１６へ出力して切り換え動作を制御する（ステップＳＴ１０６）。このように制御された映像切り換え部１６は、フレーム補償部１２から入力している補償データ１０２を図１に示した映像データ１０５としてモニタ１７へ出力する。
ステップＳＴ１０５の過程、あるいはステップＳＴ１０６の過程を実行した後、シーケンスはステップＳＴ１０１の過程に戻り、前述のように各過程の処理を繰り返す。
【００１５】
なお、データ補償システム１の欠落検知部１４、フレーム補償部１２、ライン補償部１３は、当該システムにおいて各々独立して動作し、入力される映像データ１０１を順次処理して映像切り換え部１６へ前述の各データならびに信号を出力している。
また、映像データ１０１及び補償データ１０２，１０３を入力している映像切り換え部１６は、前述のように映像データ１０１、補償データ１０２、補償データ１０３を切り換えて映像データ１０５として出力するとき、入力切り換えによって各々から入力した映像データのフレームを、映像出力装置１１から出力された元来の映像データ１０１のフレーム順序と同様となるように調整している。
【００１６】
以上のように、この発明の実施の形態１によれば、映像出力装置１１からモニタ１７へ伝送される映像データ１０１の欠落を検知する欠落検知１４、及び、欠落検知部１４から出力される切り換え信号１０４に基づいてフレーム補償部１２からの補償データ１０２とライン補償部１３からの補償データ１０３とを切り換えてモニタ１７へ出力する映像切り換え部１６を備えたので、映像データ１０１に映り込んでいる被写体の動きに応じて最適な処理を施した補償データに自動で切り換えてモニタ１７へ出力することができ、鮮明な映像を表示させることができるという効果がある。
【００１７】
実施の形態２．
図３は、この発明の実施の形態２によるデータ補償システムの構成を示すブロック図である。図３に示したデータ補償システム２は、映像出力装置２１からの映像データ２０１を入力する、フレーム補償映像出力部２２、ライン補償映像出力部２６、及び、動き検知部３０を備え、また、フレーム補償映像出力部２２からの映像データ２０４、及びライン補償映像出力部２６からの映像データ２０７を入力し、またさらに動き検知部３０からの動き量信号２０８を入力する映像切り換え部３１を備えたもので、映像切り換え部３１にはモニタ３２が接続されている。
映像出力装置２１は、モニタ３２が映像を表示することができる様式の映像データ２０１を出力するもので、前述のようにフレーム補償映像出力部２２、ライン補償映像出力部２６、及び、動き検知部３０と接続されている。
【００１８】
フレーム補償映像出力部２２は、入力した映像データ２０１の１フレーム前の映像データ２０１から補償データ２０４を作成する機能を有するもので、欠落検知部２３、フレーム補償部２４、及び、映像切り換え部２５を備えて構成されている。欠落検知部２３、フレーム補償部２４、及び、映像切り換え部２５は、映像出力装置２１から出力された映像データ２０１が各々入力されるように接続されている。映像切り換え部２５は、前述のように映像データ２０１を入力すると共に、フレーム補償部２４から補償データ２０３を入力し、また、欠落検知部２３から切り換え信号２０２を入力するように接続されている。またさらに、映像切り換え部２５は、フレーム補償映像出力部２２の出力データとして前述の映像データ２０４を映像切り換え部３１へ出力するように接続されている。
【００１９】
欠落検知部２３は、実施の形態１で説明した欠落検知部１４と概ね同様な機能を有し、当該欠落検知部１４と異なる部分として動き検知部１５を備えていない。欠落検知部２３は、前述の欠落検知部１４と同様な動作処理によって、映像出力装置２１から入力した映像データ２０１の欠落を検知し、検知結果に応じて切り換え信号２０２を作成するものである。
フレーム補償部２４は、実施の形態１で説明したフレーム補償部１２と同様な機能を有するもので、入力された映像データ２０１の欠落を含むフレームに対して、１フレーム前の映像データを用いてフレーム補間を行った補償データ２０３を作成するものである。
映像切り換え部２５は、欠落検知部２３から入力した切り換え信号２０２に基づいて、映像データ２０１と補償データ２０３とを切り換えて映像データ２０４として出力する機能を有するものである。
【００２０】
ライン補償映像出力部２６は、入力した映像データ２０１の前後の映像データから補償データ２０７を作成する機能を有するもので、欠落検知部２７、ライン補償部２８、及び、映像切り換え部２９を備えて構成されている。欠落検知部２７、ライン補償部２８、及び、映像切り換え部２９は、映像出力装置２１から出力された映像データ２０１が各々入力されるように接続されている。映像切り換え部２９は、前述のように映像データ２０１を入力すると共に、ライン補償部２８から補償データ２０６を入力し、また、欠落検知部２７から切り換え信号２０５を入力するように接続されている。またさらに、映像切り換え部２９は、ライン補償映像出力部２６の出力データとして前述の映像データ２０７を映像切り換え部３１へ出力するように接続されている。
【００２１】
欠落検知部２７は前述の欠落検知部２３と同様な機能を有し、入力した映像データ２０１の欠落を検知し、検知結果に応じて切り換え信号２０５を作成するものである。
ライン補償部２８は、実施の形態１で説明したライン補償部１３と同様な機能を有し、入力された映像データ２０１の同一フレームにおいて、欠落部分の前後のデータを用いてライン補間を行った補償データ２０６を作成するものである。
映像切り換え部２９は、欠落検知部２７から入力した切り換え信号２０５に基づいて、映像データ２０１と補償データ２０６とを切り換えて映像データ２０７として出力する機能を有するものである。
【００２２】
動き検知部３０は、実施の形態１で説明した動き検知部１５と概ね同様な処理機能を有し、映像出力装置２１から入力した映像データ２０１の動き量を算出し、またさらに予め設定されている動き量に関する閾値よりも大きいか否かを判定し、当該判定結果に対応した動き量信号２０８を作成する機能を備えている。
映像切り換え部３１は、動き検知部３０から入力した動き量信号２０８に基づいて、フレーム補償映像出力部２２の映像切り換え部２５からの補償データ２０４と、ライン補償映像出力部２６の映像切り換え部２９からの補償データ２０７とを切り換える機能を備え、切り換え出力として映像データ２０９をモニタ３２へ出力するように接続されている。モニタ３２は、入力した映像データ２０９を用いて映像を表示する表示装置である。
【００２３】
次に動作について説明する。
映像出力装置２１は、前述のようにモニタ３２が映像表示可能な映像データ２０１を作成して出力する。フレーム補償映像出力部２２の欠落検知部２３が映像データ２０１の欠落を検知していないとき、即ち有意を示す切り換え信号２０２を出力していないときには、映像切り換え部２５は映像出力部２１から入力している映像データ２０１をそのまま映像データ２０４として出力する状態を維持している。また、ライン補償映像出力部２６の欠落検知部２７が映像データ２０１の欠落を検知していないとき、即ち有意を示す切り換え信号２０５を出力していないときには、映像切り換え部２９は映像出力部２１から入力している映像データ２０１をそのまま映像データ２０７として出力する状態を維持している。
【００２４】
映像出力装置２１から出力された映像データ２０１に外部等からノイズが混入すると、当該ノイズが含まれている映像データ２０１を入力した欠落検知部２３，２７は、このデータが映像出力装置２１から出力される通常のデータとは異なるもの、換言すると映像に欠落部分を有する映像データであることを検知する。このように欠落が検知されると、欠落検知部２３から補償データ２０３へ切り換える旨を示す切り換え信号２０２が出力され、欠落検知部２７からは補償データ２０６へ切り換える旨を示す切り換え信号２０５が出力される。
上記の切り換え信号２０２を入力した映像切り換え部２５は、映像データ２０１から補償データ２０３へ入力を切り換え、補償データ２０３を映像データ２０４として映像切り換え部３１へ出力する。また、上記の切り換え信号２０５を入力した映像切り換え部２９は、映像データ２０１から補償データ２０６へ入力を切り換え、補償データ２０６を映像データ２０７として映像切り換え部３１へ出力する。
【００２５】
ここで、動き検知部３０は、映像出力装置２１から入力した映像データ２０１の動き量を算出して、予め設定されている動き量に関する閾値よりも大きいか否かを判定し、この判定結果を示す動き量信号２０８を作成して映像切り換え部３１へ出力する。
最後に、映像切り換え部３１は、動き検知部３０から入力した動き量信号２０８に基づいて接続切り換えを行い、算出した動き量が閾値よりも小さいと判定した旨の動き量信号２０８を入力したときには映像データ２０４を入力してモニタ３２へ出力するように切り換え、また、算出した動き量が閾値よりも大きいと判定した旨の動き量信号２０８を入力したときには映像データ２０７を入力してモニタ３２へ出力するように切り換える。
データ補償システム２は、概ね上記のように動作する。
【００２６】
図４は、実施の形態２によるデータ補償システムの動作を示すフローチャートである。図４を用いて実施の形態２によるデータ補償システム２の詳細動作を説明する。
映像出力装置２１の映像データ出力開始を当該データ補償システム２の処理動作のスタートとし、欠落検知部２３及び欠落検知部２７が、映像データ２０１に欠落が生じているか否かを判定する（ステップＳＴ２０１）。ステップＳＴ２０１の過程で映像データ２０１に欠落が無いと判定したときには、ステップＳＴ２０１の過程を繰り返す。
【００２７】
ステップＳＴ２０１の過程において、映像データ２０１に欠落が生じていることを検知したときには、フレーム補償映像出力部２２の欠落検知部２３から有意を示す切り換え信号２０２が出力され、またライン補償映像出力部２６の欠落検知部２７から有意を示す切り換え信号２０５が出力される。このように各々切り換えを指示する切り換え信号２０２，２０５が出力されたとき、ステップＳＴ２０２の過程に移行する。
なお、ステップＳＴ２０１の過程で映像データ２０１に欠落が無いと判定したときには、前述のように、映像切り換え部２５，２９は、映像出力装置２１からの映像データ２０１を映像切り換え部３１へ出力する状態を維持する。
【００２８】
動き検知部３０は、映像出力装置２１から入力した映像データ２０１の動き量を実施の形態１で説明した動き検知部１５と同様な処理によって算出し、求めた動き量信号２０８の内容を確認して（ステップＳＴ２０２）、予め設定されている動き量に関する閾値よりも大きいか否かを判定する（ステップＳＴ２０３）。算出した動き量が上記の閾値よりも大きいと判定したときには、その判定結果に対応する内容の動き量信号２０８を作成してステップＳＴ２０４の過程に移行し、また、前述の動き量に関する閾値よりも小さいと判定したときには、その判定結果に対応する内容の動き量信号２０８を作成してステップＳＴ２０５の過程に移行する。
【００２９】
前述の算出した動き量よりも閾値が大きいと判定した結果に対応する動き量信号２０８を入力した映像切り換え部３１は、ライン補償映像出力部２６からの映像データ２０７を入力し、これを映像データ２０９として出力するように切り換える（ステップＳＴ２０４）。このとき、ステップＳＴ２０１の過程において映像切り換え部２９がライン補償部２８からの補償データ２０６を出力するように切り換えられているので、この補償データ２０６がモニタ３２へ出力される。このように切り換え接続を行ってステップＳＴ２０６の過程に移行する。
次に、欠落検知部２７が映像出力装置２１から新たに入力した映像データ２０１に欠落が生じているか否かを判定する（ステップＳＴ２０６）。ここで、映像データ２０１から欠落が検知されなかったと判定したときには、欠落検知部２７は、例えば切り換え信号２０５が有意を示さないようにして映像切り換え部２９を通常の接続状態に戻し、当該映像データ２０１をモニタ３２へ出力するように切り換え接続させ、前述の欠落が生じていないと判定した映像出力装置２１からの映像データ２０１を出力させて（ステップＳＴ２０７）、ステップＳＴ２０１の過程に移行して前述の各過程における処理を繰り返す。
【００３０】
ステップＳＴ２０６の過程において、映像データ２０１に欠落が生じていると判定したときには、欠落検知部２７は有意を示す切り換え信号２０５を映像切り換え部２９へ出力して、映像切り換え部２９が補償データ２０６を出力する状態としておき、ステップＳＴ２０２の過程に移行して前述の各過程の処理を繰り返す。
【００３１】
また、前述のステップＳＴ２０３の過程において、算出した動き量が閾値よりも大きくないと判定したときには、当該判定結果に対応する内容の動き量信号２０８が映像切り換え部３１に入力され、この動き量信号２０８を入力した映像切り換え部３１は、フレーム補償映像出力部２２からの映像データ２０４を入力し、これを映像データ２０９として出力すうように切り換える（ステップＳＴ２０５）。このとき、ステップＳＴ２０１の過程において映像切り換え部２５がフレーム補償部２４からの補償データ２０３を出力するように切り換えられているので、この補償データ２０３がモニタ３２へ出力される。このように切り換え接続を行ってステップＳＴ２０８の過程に移行する。
次に、欠落検知部２３が映像出力装置２１から新たに入力した映像データ２０１に欠落が生じているか否かを判定する（ステップＳＴ２０８）。ここで、映像データ２０１から欠落が検知されなかったと判定したときには、欠落検知部２３は、例えば切り換え信号２０２が有意を示さないようにして映像切り換え部２５を通常の接続状態に戻し、当該映像データ２０１をモニタ３２へ出力するように切り換え接続させ、前述の欠落が生じていないと判定した映像出力装置２１からの映像データ２０１を出力させて（ステップＳＴ２０９）、ステップＳＴ２０１の過程に移行して前述の各過程における処理を繰り返す。
【００３２】
ステップＳＴ２０８の過程において、映像データ２０１に欠落が生じていると判定したときには、欠落検知部２３は有意を示す切り換え信号２０２を映像切り換え部２５へ出力して補償データ２０３を出力する状態としておき、ステップＳＴ２０２の過程に移行して前述の各過程の処理を繰り返す。
なお、フレーム補償映像出力部２２、ライン補償映像出力部２６、ならびに動き検知部３０は各々独立して動作している。また、映像切り換え部３１は、映像データ２０４または映像データ２０７を切り換えてモニタ３２へ出力するとき、元来の映像データ２０１と同様なフレーム順序に調整し、これを映像データ２０９として出力している。
【００３３】
以上のように、この発明の実施の形態２によれば、映像データ２０１の欠落を検知したときにフレーム補償を行うフレーム補償映像出力部２２とライン補償を行うライン補償映像出力部２６とを備え、動き検知部３０から出力される動き量信号２０８によって映像切り換え部３１を制御してフレーム補償映像出力部２２からの映像データ２０４またはライン補償映像出力部２６からの映像データ２０７をモニタ３２へ出力するようにしたので、映像データ２０１中の被写体の動きに応じて最適な映像出力に自動で切り換えることが可能となり、鮮明な出力映像を取得できるという効果がある。
【図面の簡単な説明】
【００３４】
【図１】この発明の実施の形態１によるデータ補償システムの構成を示すブロック図である。
【図２】実施の形態１によるデータ補償システムの処理動作を示すフローチャートである。
【図３】この発明の実施の形態２によるデータ補償システムの構成を示すブロック図である。
【図４】実施の形態２によるデータ補償システムの処理動作を示すフローチャートである。
【符号の説明】
【００３５】
１，２  データ補償システム、１１，２１  映像出力装置、１２，２４  フレーム補償部、１３，２８  ライン補償部、１４，２３，２７  欠落検知部、１５，３０  動き検知部、１６，２５，２９，３１  映像切り換え部、１７，３２  モニタ、２２  フレーム補償映像出力部、２６  ライン補償映像出力部、１０１，１０５，２０１，２０４，２０７，２０９  映像データ、１０２，１０３，２０３，２０６  補償データ、１０４，２０２，２０５  切り換え信号、２０８  動き量信号。
【図１】
2009232211.tif 000003
【図２】
2009232211.tif 000004
【図３】
2009232211.tif 000005
【図４】
2009232211.tif 000006